(57)【要約】【課題】  本発明は、遊技媒体借受用媒体の取り忘れを遊技者に対して適正に報知することのできる遊技媒体借受用媒体の取り忘れ防止装置を提供する。【解決手段】  本発明は、遊技媒体を貸し出す遊技媒体貸出装置から遊技媒体借受用媒体が入れられている旨の借受用媒体受付信号を受ける情報入力部と、遊技者の着座位置に向く方向に感度を有する距離センサと、遊技媒体貸出装置から遊技媒体借受用媒体を取り忘れている旨を遊技者に向けて報知するための報知信号を出力する情報出力部と、情報入力部、距離センサ及び情報出力部が接続された処理部とを備え、距離センサは、着座位置にある物体までの距離を経時的に測定し、処理部は、情報入力部が借受用媒体受付信号を受け且つ距離センサの測定結果が所定時間内で一定又は略一定であるときに、情報出力部に報知信号を出力させる。【選択図】図４
2018126359.tif 000002
【特許請求の範囲】
【請求項１】
遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置から、借受用媒体入口部に遊技媒体借受用媒体が入れられている旨の借受用媒体受付信号を少なくとも受ける情報入力部と、遊技機の周辺領域内に配置される距離センサであって、遊技機の前方に設定される遊技者の着座位置に向く方向に感度を有する距離センサと、遊技媒体貸出装置から遊技媒体借受用媒体を取り忘れている旨を遊技者に向けて報知するための報知信号を出力する情報出力部と、情報入力部、距離センサ及び情報出力部が接続された処理部とを備え、距離センサは、着座位置にある物体までの距離を経時的に測定し、処理部は、情報入力部が借受用媒体受付信号を受け且つ距離センサの測定結果が所定時間内で一定又は略一定であるときに、情報出力部に報知信号を出力させることを特徴とする遊技媒体借受用媒体の取り忘れ防止装置。
【請求項２】
処理部は、距離センサから着座位置における最も遠い位置までの距離を初期値に設定し、情報入力部が借受用媒体受付信号を受け且つ距離センサの測定結果が所定時間内で初期値以下の距離で一定又は略一定であるときに、情報出力部に報知信号を出力させる請求項１に記載の遊技媒体借受用媒体の取り忘れ防止装置。
【請求項３】
距離センサは、初期検知として、遊技者の臀部を受ける座面を含む座部及び遊技者の背中を受ける背凭れ面を含む背凭れ部を有する椅子であって、着座位置として遊技機に付設される椅子の背凭れ面までの距離を測定し、処理部は、距離センサの初期検知によって得られた距離センサから背凭れ面までの距離を初期値に設定する請求項２に記載の遊技媒体借受用媒体の取り忘れ防止装置。
【請求項４】
処理部は、初期値に基づく基準値であって、距離センサから椅子の座部の上方の所定位置までの距離を基準値として設定し、情報入力部が借受用媒体受付信号を受け且つ初期検知後の距離センサの測定結果が所定時間内で基準値以下の距離で一定又は略一定であるときに、情報出力部に報知信号を出力させる請求項３に記載の遊技媒体借受用媒体の取り忘れ防止装置。
【請求項５】
椅子の座部は、遊技機側に位置する第一位置と、第一位置よりも遊技機から離れる第二位置との間でスライド可能に構成され、基準値は、第一位置にある座部に着座するであろう遊技者の胴体及び第二位置にある座部に着座するであろう遊技者の胴体との重複領域内の所定位置であって、距離センサから第一位置にある座部の上方の所定位置までの距離に設定される請求項４に記載の遊技媒体借受用媒体の取り忘れ防止装置。
【請求項６】
情報出力部に接続された内部報知装置を備えている請求項１乃至５の何れか１項に記載の遊技媒体借受用媒体の取り忘れ防止装置。
【請求項７】
遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置と、請求項１乃至６の何れか１項に記載の遊技媒体借受用媒体の取り忘れ防止装置と、遊技媒体借受用媒体の取り忘れ防止装置の指示に基づき、遊技媒体貸出装置から遊技媒体借受用媒体を取り忘れている旨を遊技者に向けて報知する少なくとも一つの報知装置とを含み、遊技媒体借受用媒体の取り忘れ防止装置の情報入力部が遊技媒体貸出装置に接続されるとともに、遊技媒体借受用媒体の取り忘れ防止装置の情報出力部が報知装置に接続されていることを特徴とする遊技媒体借受用媒体の取り忘れ防止システム。
【請求項８】
遊技者がスタッフを呼ぶために遊技機に対応づけて設置される呼出装置であって、表示部及びスピーカーの少なくとも何れか一方を有する呼出装置を更に含み、呼出装置の有する表示部及びスピーカーの少なくとも何れか一方が報知装置に兼用されている請求項７に記載の遊技媒体借受用媒体の取り忘れ防止システム。
【請求項９】
遊技演出用の表示部及びスピーカーの少なくとも何れか一方を有する遊技機を更に含み、遊技機の遊技演出用の表示部及びスピーカーの少なくとも何れか一方が報知装置に兼用されている請求項７又は８に記載の遊技媒体借受用媒体の取り忘れ防止システム。
【発明の詳細な説明】
【技術分野】
【０００１】
本発明は、遊技媒体貸出装置の借受用媒体入口部に入れられた遊技媒体借受用媒体の取り忘れを防止するための遊技媒体借受用媒体の取り忘れ防止装置、及び遊技媒体借受用媒体の取り忘れ防止システムに関する。
【背景技術】
【０００２】
従来から、パチンコ機やスロットマシン等の遊技機が設置された遊技場には、遊技機で遊技するための遊技媒体を貸し出すための遊技媒体貸出装置が設置されている。
【０００３】
遊技媒体貸出装置は、遊技者の所有するカード等の遊技媒体借受用媒体（以下、単に借受用媒体という）を入れる借受用媒体入口部を備える。遊技媒体貸出装置は、借受用媒体入口部に入れられた借受用媒体に記録された価値度数内で、遊技者の要求する価値度数に応じた数量の遊技媒体を遊技者に貸し出す。これに伴い、遊技媒体貸出装置は、借受用媒体入口部に入れられたときに記録されていた価値度数から消費した価値度数（貸し出した遊技媒体の数量に対応した価値度数）を差し引いた価値度数を残高として借受用媒体に記録する。
【０００４】
上記構成の遊技媒体貸出装置は、遊技機に隣接して設置される。これにより、遊技中の遊技者は、遊技機に対応して設置された椅子に着座したまま、遊技媒体貸出装置から遊技媒体を借り受けることができる。
【０００５】
ところで、遊技者の中には、借受用媒体に記録された価値度数に残高があるにも拘わらず、借受用媒体を遊技媒体貸出装置から取り忘れて座席（椅子）から離れてしまう者がいる。この場合、第三者が借受用媒体の残高を利用して遊技媒体を借り受け、遊技を行う虞がある。
【０００６】
このような状況に鑑み、遊技媒体貸出装置の借受用媒体入口部に入れられた借受用媒体に記録された価値度数に残高が残っている場合に、借受用媒体の取り忘れを遊技者に対して報知する遊技媒体借受用媒体の取り忘れ防止システム（以下、単にシステムという）が提供されている（特許文献１参照）。
【０００７】
係るシステムは、借受用媒体入口部に入れられた借受用媒体に記録された価値度数を上限として、所定の単位度数毎に遊技に用いられる遊技媒体を供給する制御を実行する貸出制御手段を備えた遊技媒体貸出装置と、貸出制御手段と電気的に接続され、遊技機で遊技する遊技者の存在を検出する遊技者検出手段と、貸出制御手段に電気的に接続され、所定の情報を報知する報知手段とを備える。
【０００８】
上記システムにおいて、貸出制御手段は、遊技者検出手段による遊技者の検出がない場合、受付中の借受用媒体を借受用媒体入口部若しくは別途設けられた排出部から強制的に排出すると同時に、報知手段から借受用媒体の存在情報を報知する制御を実行する。
【０００９】
このように、上記システムでは、座席から離れようとする遊技者に対して借受用媒体の取り忘れを報知手段で報知するため、座席から離れようとする遊技者に借受用媒体を取らせることができ、第三者の悪質な借受用媒体の利用を防止できるとされている。
【００１０】
ところで、上記システムにおいて、遊技者検出手段は、遊技機に付設される椅子に設けた重量センサである。そのため、上記システムでは、遊技者が椅子に着座しているか否かを誤検出することあり、借受用媒体の取り忘れを遊技者に対して適切に報知できない場合がある。
【００１１】
具体的に説明すると、上記システムの遊技者検出手段は、椅子に作用する重さを検知する重量センサであるため、遊技者等が椅子に荷物や鞄等を置いた場合、その荷物や鞄等の重さも検知してしまう。そのため、上記システムでは、遊技者等が荷物や鞄等を椅子に置いたままその場を離れても、遊技者が椅子に着座していると判断してしまい、借受用媒体を取り忘れていることを遊技者に対して報知しないことがある。
【先行技術文献】
【特許文献】
【００１２】
【特許文献１】特開２００８−０８００１３号公報
【発明の概要】
【発明が解決しようとする課題】
【００１３】
そこで、本発明は、遊技媒体貸出装置の借受用媒体入口部に入れられた遊技媒体借受用媒体の取り忘れを遊技者に対して適正に報知することのできる遊技媒体借受用媒体の取り忘れ防止装置、及び遊技媒体借受用媒体の取り忘れ防止システムを提供することを課題とする。
【課題を解決するための手段】
【００１４】
本発明に係る遊技媒体借受用媒体の取り忘れ防止装置は、遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置から、借受用媒体入口部に遊技媒体借受用媒体が入れられている旨の借受用媒体受付信号を少なくとも受ける情報入力部と、遊技機の周辺領域内に配置される距離センサであって、遊技機の前方に設定される遊技者の着座位置に向く方向に感度を有する距離センサと、遊技媒体貸出装置から遊技媒体借受用媒体を取り忘れている旨を遊技者に向けて報知するための報知信号を出力する情報出力部と、情報入力部、距離センサ及び情報出力部が接続された処理部とを備え、距離センサは、着座位置にある物体までの距離を経時的に測定し、処理部は、情報入力部が借受用媒体受付信号を受け且つ距離センサの測定結果が所定時間内で一定又は略一定であるときに、情報出力部に報知信号を出力させることを特徴とする。
【００１５】
上記構成によれば、借受用媒体入口部に遊技媒体借受用媒体が入れられた状態で遊技者が着座位置から離れる場合、着座位置に荷物や鞄が置かれていたとしても、遊技者に対して遊技媒体借受用媒体を取り忘れている旨を報知することができる。具体的に説明すると、着座位置に置かれた荷物や鞄等は静止しているため、距離センサが荷物や鞄等の物体までの距離を測定している場合、距離センサの経時的な測定結果は一定又は略一定となる。これに対し、着座位置に着座する遊技者は姿勢や位置を適宜変更するため、距離センサが遊技者までの距離を測定している場合、距離センサの経時的な測定結果は変動する。
【００１６】
従って、距離センサの測定結果が所定時間内で一定又は略一定であり、且つ情報入力部が少なくとも遊技媒体借受用媒体を受け付けている旨の借受用媒体受付信号を受けたときに、処理部が情報出力部に報知信号を出力させることで、遊技者が着座位置から離れて該着座位置に荷物や鞄等が置かれていたとしても、報知信号に基づく報知により、遊技者に対して遊技媒体借受用媒体を取り忘れていることを知らしめることができる。
【００１７】
本発明の一態様として、処理部は、距離センサから着座位置における最も遠い位置までの距離を初期値に設定し、情報入力部が借受用媒体受付信号を受け且つ距離センサの測定結果が所定時間内で初期値以下の距離で一定又は略一定であるときに、情報出力部に報知信号を出力させるようにしてもよい。
【００１８】
このようにすれば、確実に誤報知を防止することができる。具体的には、距離センサの検知結果が初期値以下の距離である場合、その距離センサの検知結果は、着座位置から遊技機側に存在する物体を対象としたものとなる。
【００１９】
従って、処理部が、距離センサから着座位置における最も遠い位置までの距離を初期値に設定し、情報入力部が借受用媒体受付信号を受け且つ距離センサの測定結果が所定時間内で初期値以下の距離で一定又は略一定であるときに、情報出力部に報知信号を出力させることで、着座位置にない人や物（例えば、椅子の背凭れ部の後方に存在する人や物）を判断対象から除外した上で、着座位置にある遊技者や物（荷物や鞄等）を対象にした適正な判断を行い、情報出力部に報知信号を出力させることができる。これにより、確実に誤報知が防止される。
【００２０】
この場合、距離センサは、初期検知として、遊技者の臀部を受ける座面を含む座部及び遊技者の背中を受ける背凭れ面を含む背凭れ部を有する椅子であって、着座位置として遊技機に付設される椅子の背凭れ面までの距離を測定し、処理部は、距離センサの初期検知によって得られた距離センサから背凭れ面までの距離を初期値に設定してもよい。なお、ここで初期検知とは、遊技媒体借受用媒体の取り忘れ防止装置が起動され、距離センサが最初に行う検知をいう。
【００２１】
このように、距離センサが初期検知を行い、処理部が距離センサの初期検知の検知結果を初期検知後の判断基準となる初期値にすると、遊技機に対応して設置される椅子の状態（位置や姿勢）が個々に異なっていたり、日常的に変化したりしても、椅子（着座位置）に存在する物体を対象に報知すべきか否かが適正に判断される。また、遊技媒体借受用媒体の取り忘れ防止装置を遊技場に設置するに当たり、遊技媒体借受用媒体の取り忘れ防止装置の設置位置に関係なく、技術者等が煩雑な初期設定（判断の基準となる距離設定等）を行う必要がない。
【００２２】
より好ましくは、処理部は、初期値に基づく基準値であって、距離センサから椅子の座部の上方の所定位置までの距離を基準値として設定し、情報入力部が借受用媒体受付信号を受け且つ初期検知後の距離センサの測定結果が所定時間内で基準値以下の距離で一定又は略一定であるときに、情報出力部に報知信号を出力させるようにしてもよい。このようにすれば、周囲環境の影響によって距離センサの検知感度が低下したり、椅子の背凭れ部の状態（位置、姿勢、汚れ具合等）が変化したりしても、初期値と基準値との差分によって、距離センサの検知感度の低下が椅子の状態の変化等が吸収され、適正な判断乃至報知をすることができる。
【００２３】
この場合、椅子の座部は、遊技機側に位置する第一位置と、第一位置よりも遊技機から離れる第二位置との間でスライド可能に構成され、基準値は、第一位置にある座部に着座するであろう遊技者の胴体及び第二位置にある座部に着座するであろう遊技者の胴体との重複領域内の所定位置であって、距離センサから第一位置にある座部の上方の所定位置までの距離に設定されることが好ましい。このようにすれば、椅子の座部及び背凭れ部の位置が初期検知後に都度変わっても、着座位置にある遊技者や物（荷物や鞄等）を対象にした適正な判断を行うことができる。
【００２４】
具体的には、遊技者が第一位置にある座部に着座する場合と、第二位置にある座部に着座する場合とでは、遊技者の胴体の位置が異なる。しかし、基準値が第一位置にある座部に着座するである遊技者の胴体及び第二位置にある座部に着座するであろう遊技者の胴体との重複領域内にある所定位置までの距離にすることで、第一位置にある座部に着座する遊技者及び第二位置にある座部に着座する遊技者の何れについても把握することができる。従って、椅子の座部及び背凭れ部の位置が初期検知後に都度変わっても、着座位置にある遊技者や物（荷物や鞄等）を対象にした適正な判断を行うことができる。
【００２５】
本発明の別の態様として、情報出力部に接続された内部報知装置を備えてもよい。このようにすれば、自身の備える内部報知装置により、報知信号に基づく報知をすることができる。
【００２６】
本発明に係る遊技媒体借受用媒体の取り忘れ防止システムは、遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置と、上記何れかの遊技媒体借受用媒体の取り忘れ防止装置と、遊技媒体借受用媒体の取り忘れ防止装置の指示に基づき、遊技媒体貸出装置から遊技媒体借受用媒体を取り忘れている旨を遊技者に向けて報知する少なくとも一つの報知装置とを含み、遊技媒体借受用媒体の取り忘れ防止装置の情報入力部が遊技媒体貸出装置に接続されるとともに、遊技媒体借受用媒体の取り忘れ防止装置の情報出力部が報知装置に接続されていることを特徴とする。
【００２７】
上記構成によれば、上記何れかの遊技媒体借受用媒体の取り忘れ防止装置を備えているため、上記遊技媒体借受用媒体の取り忘れ防止装置と同様の作用及び効果を奏する。
【００２８】
本発明の一態様として、遊技者がスタッフを呼ぶために遊技機に対応づけて設置される呼出装置であって、表示部及びスピーカーの少なくとも何れか一方を有する呼出装置を更に含み、呼出装置の有する表示部及びスピーカーの少なくとも何れか一方が報知装置に兼用されていてもよい。呼出装置の表示部及びスピーカーの出力は、遊技機の周囲に対して注意喚起することに優れているため、表示部及びスピーカーの少なくとも何れか一方が報知装置に兼用することで、借受用媒体を取り忘れている旨の報知の効果が高くなる。
【００２９】
本発明の他態様として、遊技演出用の表示部及びスピーカーの少なくとも何れか一方を有する遊技機を更に含み、遊技機の遊技演出用の表示部及びスピーカーの少なくとも何れか一方が報知装置に兼用されていてもよい。遊技演出用の表示部及びスピーカーの出力は、遊技者に対して注意喚起することに優れているため、表示部及びスピーカーの少なくとも何れか一方が報知装置に兼用することで、借受用媒体を取り忘れている旨の報知の効果が高くなる。
【発明の効果】
【００３０】
本発明によれば、遊技媒体貸出装置の借受用媒体入口部に入れられた遊技媒体借受用媒体の取り忘れを遊技者に対して適正に報知することができるという優れた効果を奏し得る。
【図面の簡単な説明】
【００３１】
【図１】図１は、本発明の一実施形態に係る遊技媒体借受用媒体の取り忘れ防止システム（遊技媒体借受用媒体の取り忘れ防止装置）を設置した遊技島の部分正面図であって、遊技機に対応して設置された椅子を含む遊技島の部分正面図である。
【図２】図２は、同実施形態に係る遊技島の部分側面図であって、遊技機に対応して設置された椅子を含む遊技島の部分側面図である。
【図３】図３は、同実施形態に係る遊技島の部分平面図であって、遊技機に対応して設置された椅子を含む遊技島の部分平面図である。
【図４】図４は、同実施形態に係る遊技媒体借受用媒体の取り忘れ防止装置のブロック図である。
【図５】図５は、同実施形態に係る遊技媒体借受用媒体の取り忘れ防止システム（遊技媒体借受用媒体の取り忘れ防止装置）における初期値及び基準値の設定についての説明図である。
【図６】図６は、同実施形態に係る遊技媒体借受用媒体の取り忘れ防止システム（遊技媒体借受用媒体の取り忘れ防止装置）における距離センサの検知状態の説明図である。
【発明を実施するための形態】
【００３２】
以下、本発明の一実施形態について、添付図面を参照して説明する。
【００３３】
まず、遊技媒体借受用媒体の取り忘れシステムの説明に先立ち、前提となる遊技場の設備について概略説明する。
【００３４】
図１乃至図３に示す如く、遊技場Ｈは、パチンコ機やスロットマシン等の遊技機１と、遊技機１に付設される椅子２とを備える。一般的に、遊技場Ｈは、所定台数の遊技機１を一群とする遊技島Ｇを有し、各遊技機１に対して椅子２が対応づけられて設置される。
【００３５】
遊技機１は、前面に遊技領域１０を有し、遊技領域１０における遊技を実行させるハンドルやレバー等の操作部１１を備える。なお、図１乃至図３において、遊技機１としてパチンコ機が図示されており、遊技領域１０の下方領域に操作部１１としてのハンドルを備えている（図１及び図３参照）。
【００３６】
椅子２は、着座する遊技者が遊技機１の遊技領域１０に対面するように設置される。椅子２は、図１及び図２に示す如く、脚部２０と、脚部２０の上端に連結された座部２１であって、遊技者の臀部を受ける座面２１ａを含む座部２１と、座部２１に対して直接的又は間接的に連結された背凭れ部２２であって、遊技者の背中を受ける背凭れ面２２ａを含む背凭れ部２２とを含む。
【００３７】
本実施形態において、少なくとも座部２１は、図２に示す如く、遊技機１に対して接離する方向（遊技機１の遊技領域１０と直交する方向）にスライド可能である。すなわち、椅子２の座部２１は、遊技機１側に位置する第一位置Ｐ１と、第一位置Ｐ１よりも遊技機１から離れる第二位置Ｐ２との間でスライド可能である。また、座部２１は、遊技者が着座位置（当該座部２１）から離れたときに、第二位置Ｐ２から第一位置Ｐ１に自動復帰可能に構成される。本実施形態において、背凭れ部２２は、座部２１に連結されており、座部２１とともにスライド可能である。背凭れ部２２は、上端部と下端部とを有し、下端部側に回転支点が設定されている。これにより、背凭れ部２２は、回転支点を中心に傾動可能である。すなわち、この遊技場Ｈに設置された椅子２は、リクライニング可能である。
【００３８】
本実施形態に係る遊技媒体借受用媒体の取り忘れ防止システム（以下、単にシステムという）Ｓは、遊技場Ｈに上記設備が設置されることを前提としたもので、図１に示す如く、遊技媒体借受用媒体（以下、単に借受用媒体という）を入れる借受用媒体入口部３０を有し且つ借受用媒体入口部３０に入れられた借受用媒体に記録された価値度数を上限に遊技媒体を貸し出す遊技媒体貸出装置３であって、遊技機１に隣接して配置される遊技媒体貸出装置３と、借受用媒体の取り忘れ防止装置（以下、単に取り忘れ防止装置という）４と、取り忘れ防止装置４に指示に基づき、遊技媒体貸出装置３から借受用媒体を取り忘れている旨を遊技者に向けて報知する少なくとも一つの報知装置５Ａ，５Ｂ，５Ｃ，５Ｄとを備える。なお、本実施形態における借受用媒体は、価値度数を記録可能で且つ記録した価値度数を書き換え可能なカードである。
【００３９】
遊技媒体貸出装置３は、遊技機１及び椅子２と同様に、遊技場Ｈ（遊技島Ｇ）に対して設置されるものであるが、本実施形態においては、システムＳの一構成をなす。係る遊技媒体貸出装置３は、遊技機１に対して隣接して配置される。具体的には、遊技媒体貸出装置３は、一台の遊技機１に対して対応して一台配置される。該一台の遊技媒体貸出装置３は、遊技機１に対して横並びで配置される。通常、遊技場Ｈにおいて、複数台の遊技機１が横並び配置されるため、遊技媒体貸出装置３は、隣り合う遊技機１間に配置される。これに伴い、遊技媒体貸出装置３は、「台間機」或いは「サンド」とも呼ばれる。
【００４０】
遊技媒体貸出装置３は、上述の如く、遊技者の所有する借受用媒体を入れるための借受用媒体入口部３０を備える。遊技媒体貸出装置３は、借受用媒体入口部３０に入れられた借受用媒体を受け付け、借受用媒体に登録された価値度数を把握する。これに伴い、遊技媒体貸出装置３は、受け付けた借受用媒体に記録された価値度数内において、遊技媒体を遊技者に貸し出すようになっている。すなわち、遊技媒体貸出装置３は、遊技者の要求に応じて、借受用媒体に記憶された全ての価値度数対応する数量の遊技媒体を貸し出したり、借受用媒体に記憶された価値度数の一部に対応する数量の遊技媒体を貸し出したりする。
【００４１】
これに伴い、遊技媒体貸出装置３は、遊技媒体を貸し出した場合、借受用媒体に対して消費した価値度数（貸し出した遊技媒体の数量に対応した価値度数）を差し引いた価値度数を記録する。従って、遊技媒体貸出装置３は、借受用媒体に記憶された価値度数の一部に対応する遊技媒体を貸し出した場合、後において遊技媒体の貸出可能な価値度数を残高として記録する。
【００４２】
遊技媒体貸出装置３は、借受用媒体入口部３０に入れられた借受用媒体を排出（返却）する機能を有する。具体的には、遊技媒体貸出装置３は、借受用媒体を排出させるための排出スイッチ３１を有し、遊技者が排出スイッチ３１を操作することで、借受用媒体入口部３０に入れられた借受用媒体を排出する。
【００４３】
なお、遊技媒体貸出装置３には、借受用媒体入口部３０から借受用媒体を排出するものや、借受用媒体入口部３０とは別に設けられた排出部から借受用媒体を排出するものがあるが、図１には、借受用媒体入口部３０から借受用媒体を排出するタイプのものが図示されている。また、遊技媒体貸出装置３には、遊技媒体を遊技機１に設けられた受け皿等に直接貸し出すものや、遊技媒体を外部に配置した受け皿に排出して貸し出すものがあるが、図１には、遊技媒体を遊技機１に設けられた受け皿等に直接貸し出すタイプのものが図示されている。
【００４４】
本実施形態において、遊技媒体貸出装置３は、取り忘れ防止装置４に対して通信可能に接続されている。これにより、遊技媒体貸出装置３は、借受用媒体入口部３０に借受用媒体が入れられている場合に、借受用媒体を受け付けている旨の借受用媒体受付信号を取り忘れ防止装置４に送信するようになっている。本実施形態に係る遊技媒体貸出装置３は、残高のある借受用媒体が借受用媒体入口部３０に入れられている場合に、借受用媒体を受け付けている旨の借受用媒体受付信号を出力する。
【００４５】
本実施形態に係る取り忘れ防止装置４は、遊技機１の周辺領域内に設置される。これに伴い、本実施形態において、取り忘れ防止装置４は、後述する呼出装置６を動作させる手元スイッチ装置７であって、遊技機１の周辺領域のうちの椅子２に着座した遊技者の手の届く範囲に設置される手元スイッチ装置７に組み込まれている。
【００４６】
手元スイッチ装置７は、遊技者が操作するための操作部７０と、操作部７０が操作されたことを表示する表示部７１とを備える。本実施形態において、操作部７０は、押しボタンである。本実施形態において、押しボタン７０内には、光源（図示しない）が内装されており、押しボタン７０が操作されたときに、光源が点灯し押しボタン７０全体が発光するようになっている。すなわち、手元スイッチ装置７において、押しボタン７０は表示部７１を兼用している。
【００４７】
取り忘れ防止装置４は、図４に示す如く、借受用媒体入口部３０に借受用媒体が入れられている旨の借受用媒体受付信号を遊技媒体貸出装置３から少なくとも受ける情報入力部４０と、遊技機１の周辺領域内に配置される距離センサ４１であって、遊技機１の前方に設定される遊技者の着座位置に向く方向に感度を有する距離センサ４１（図１乃至図３参照）と、遊技媒体貸出装置３から借受用媒体を取り忘れている旨を遊技者に向けて報知するための報知信号を出力する情報出力部４２と、情報入力部４０、距離センサ４１及び情報出力部４２が接続された処理部４３とを備える。
【００４８】
情報入力部４０は、入力ポートであり、遊技媒体貸出装置３に対して通信可能に接続される。これにより、遊技媒体貸出装置３が借受用媒体を受け付けている状態（借受用媒体入口部３０に借受用媒体が入れられている状態）で、情報入力部４０は、遊技媒体貸出装置３から借受用媒体を受け付けている（借受用媒体入口部３０に借受用媒体が入れられている状態である）旨の借受用媒体受付信号を受ける。
【００４９】
距離センサ４１は、着座位置にある物体までの距離を経時的に測定する。本実施形態において、距離センサ４１は、赤外線センサである。距離センサ４１は、図５に示す如く、遊技機１の周辺から遊技者Ｐの着座位置に向かう方向において測定方向が設定される。距離センサ４１の測定エリアは、距離センサ４１の設置位置から前方（測定方向）に向けて拡大している。距離センサ４１の測定中心ＣＬは、着座位置にある椅子２の背凭れ部２２上を通るように設定される。
【００５０】
距離センサ４１は、初期検知（取り忘れ防止装置４の起動後の最初の検知）として、着座位置として遊技機１に付設される椅子２の背凭れ面２２ａまでの距離を測定する。すなわち、システムＳが起動する毎に処理部４３が距離センサ４１に椅子２の背凭れ部２２までの距離を測定させる。
【００５１】
図４に戻り、情報出力部４２は、出力ポートであり、報知装置５Ａ，５Ｂ，５Ｃ，５Ｄに接続される。本実施形態に係る取り忘れ防止装置４は、情報出力部４２を複数有し、複数の情報出力部４２は、異なる報知装置５Ａ，５Ｂ，５Ｃ，５Ｄに接続される。取り忘れ防止装置４は、報知装置として、情報出力部４２に接続された内部報知装置５Ａ，５Ｂを備える。
【００５２】
本実施形態において、取り忘れ防止装置４は、内部報知装置として、スピーカー５Ａと表示部５Ｂとを備える。スピーカー５Ａは、借受用媒体の取り忘れを聴覚的に報知する音を発する。表示部５Ｂは、借受用媒体の取り忘れを視覚的に報知する光を発する。
【００５３】
本実施形態において、取り忘れ防止装置４が手元スイッチ装置７に組み込まれるに伴い、手元スイッチ装置７の操作部７０（表示部７１）が内部報知装置である表示部５Ｂとして兼用されている（図１参照）。すなわち、取り忘れ防止装置４の一つの情報出力部４２は、押しボタン７０内の光源に接続されている。これにより、情報出力部４２が報知信号を出力したときに、操作部７０が内部報知装置５Ｂとして発光する。
【００５４】
図１に戻り、遊技場Ｈ（遊技島Ｇ）には、一般的に、遊技機１、椅子２、遊技媒体貸出装置３に加え、スタッフを呼び出すための呼出装置６が設置される。これに伴い、本システムＳにおいて、呼出装置６を報知装置５Ｃ，５Ｄとして兼用している。
【００５５】
具体的に説明すると、呼出装置６は、スタッフを呼び出すためのスイッチ６０と、少なくともスタッフの呼出し状態を報知する表示部６１とを備える。また、呼出装置６は、演出用の音楽、音声情報等を出力するスピーカー６２や、表示部の表示態様を切り替えるスイッチ６３等を備える。
【００５６】
これに伴い、図４に示す如く、取り忘れ防止装置４の情報出力部４２は、呼出装置６の表示部６１やスピーカー６２に通信可能に接続されている。これにより、呼出装置６の表示部６１やスピーカー６２は、システムＳの報知装置５Ｃ，５Ｄに兼用され、情報出力部４２が報知信号を出力したときに、呼出装置６の表示部６１（報知装置５Ｃ）が借受用媒体の取り忘れを報知する画像或いは動画を表示するとともに、呼出装置６のスピーカー６２（報知装置５Ｄ）が借受用媒体の取り忘れを報知する音を出力する。
【００５７】
また、本実施形態において、取り忘れ防止装置４と一体となった手元スイッチ装置７についても呼出装置６に接続されており、操作部７０が操作されたときにおいては、呼出装置６の表示部にスタッフを呼び出すための画像或いは動画を表示させるとともに、呼出装置６のスピーカー６２からスタッフを呼び出すための音を出力させる。なお、呼出装置６が装飾用の発光部を備える場合、表示部６１に換えて、或いは表示部６１に加えて発光部が報知装置として兼用されてもよい。
【００５８】
処理部４３は、ＣＰＵであり、処理部４３は、情報入力部４０が借受用媒体受付信号を受け且つ距離センサ４１の測定結果が所定時間（例えば、０．５秒〜１．０秒）内で一定又は略一定であるときに、情報出力部４２に報知信号を出力させる。
【００５９】
具体的には、本実施形態に係る処理部４３は、図５に示す如く、距離センサ４１による初期検知で得られた当該距離センサ４１から背凭れ面２２ａまでの距離を初期値Ｌａに設定する。処理部４３は、初期値Ｌａに基づく基準値Ｌｂであって、着座位置に存在するであろう遊技者Ｐの胴体（仮想の遊技者Ｐの胴体）内の所定位置までの距離を基準値Ｌｂとして設定する。具体的には、処理部４３は、初期値Ｌａから所定距離ΔＬ（例えば、７．０ｃｍ〜１５．０ｃｍの範囲内にある距離（本実施形態においては７ｃｍ））を差し引いた距離を基準値Ｌｂとして設定する。すなわち、処理部４３は、距離センサ４１から離れた所定位置までの距離であって、背凭れ部２２から遊技機１側（前方側）で所定距離ΔＬ離れた所定位置までの距離を基準値Ｌｂとして設定する。
【００６０】
本実施形態において、椅子２の座部２１は、遊技機１側に位置する第一位置Ｐ１と、第一位置Ｐ１よりも遊技機１から離れる第二位置Ｐ２との間でスライド可能で、且つ第二位置Ｐ２から第一位置Ｐ１に自動復帰可能に構成されるため、基準値Ｌｂを導出するために初期値Ｌａから差し引かれる所定距離ΔＬは、第一位置Ｐ１にある座部２１に着座するであろう遊技者Ｐの胴体（仮想の遊技者Ｐの胴体）及び第二位置Ｐ２にある座部２１に着座するであろう遊技者Ｐの胴体（仮想の遊技者Ｐの胴体）との重複領域内の所定位置であって、背凭れ部２２（背凭れ面２２ａ）から第一位置Ｐ１にある座部２１の上方の所定位置までの距離とされる。
【００６１】
これに伴い、本実施形態に係る処理部４３は、情報入力部４０が借受用媒体受付信号を受け且つ初期検知後の距離センサ４１の測定結果が基準値Ｌｂより短い距離であるときに、情報出力部４２に報知信号を出力させる。
【００６２】
以上のように、取り忘れ防止装置４は、借受用媒体を入れる借受用媒体入口部３０を有し且つ借受用媒体入口部３０に入れられた借受用媒体に記録された価値度数を上限に遊技媒体を貸し出す遊技媒体貸出装置３であって、遊技機１に隣接して配置される遊技媒体貸出装置３から、借受用媒体入口部３０に借受用媒体が入れられている旨の借受用媒体受付信号を少なくとも受ける情報入力部４０と、遊技機１の周辺領域内に配置される距離センサ４１であって、遊技機１の前方に設定される遊技者Ｐの着座位置に向く方向に感度を有する距離センサ４１と、遊技媒体貸出装置３から借受用媒体を取り忘れている旨を遊技者Ｐに向けて報知するための報知信号を出力する情報出力部４２と、情報入力部４０、距離センサ４１及び情報出力部４２が接続された処理部４３とを備え、距離センサ４１は、着座位置にある物体までの距離を経時的に測定し、処理部４３は、情報入力部４０が借受用媒体受付信号を受け且つ距離センサ４１の測定結果が所定時間内で一定又は略一定であるときに、情報出力部４２に報知信号を出力させる。なお、測定結果が一定とは、測定結果に変化がない状態を意味し、測定結果が略一定とは、測定結果に僅かに変化があるが、測定結果に変化がないに等しい状態を意味する。
【００６３】
このようにすることで、本実施形態に係る取り忘れ防止装置４は、借受用媒体入口部３０に借受用媒体が入れられた状態で遊技者Ｐが着座位置から離れる場合、着座位置に荷物や鞄が置かれていたとしても、遊技者Ｐに対して借受用媒体を取り忘れている旨を報知することができる。具体的に説明すると、着座位置に置かれた荷物や鞄等は静止しているため、図６に示す如く、距離センサ４１が荷物や鞄等の物体までの距離を測定している場合、距離センサ４１の経時的な測定結果は一定又は略一定となる。これに対し、着座位置に着座する遊技者Ｐは姿勢や位置を適宜変更するため、距離センサ４１が遊技者Ｐまでの距離を測定している場合、距離センサ４１の経時的な測定結果は変動する。
【００６４】
従って、処理部４３が、距離センサ４１の測定結果が所定時間内で一定又は略一定であり、且つ情報入力部４０が遊技媒体貸出装置３から少なくとも借受用媒体を受け付けている旨の借受用媒体受付信号を受けたときに、情報出力部４２に報知信号を出力させることで、遊技者Ｐが着座位置から離れて該着座位置に荷物や鞄等が置かれていたとしても、報知信号に基づく報知により、遊技者Ｐに対して借受用媒体を取り忘れていることを知らしめることができる。
【００６５】
本実施形態において、距離センサ４１は、初期検知として、遊技者Ｐの臀部を受ける座面２１ａを含む座部２１及び遊技者Ｐの背中を受ける背凭れ面２２ａを含む背凭れ部２２を有する椅子２であって、着座位置として遊技機に付設される椅子２の背凭れ面２２ａまでの距離を測定し、処理部４３は、距離センサ４１の初期検知によって得られた距離センサ４１から背凭れ面２２ａまでの距離を初期値Ｌａに設定し、情報入力部４０が借受用媒体受付信号を受け且つ初期検知後の距離センサ４１の測定結果が所定時間内で初期値Ｌａ以下の距離で一定又は略一定であるときに、情報出力部４２に報知信号を出力させる。
【００６６】
これにより、本実施形態に係る取り忘れ防止装置４は、確実に誤報知を防止することができる。具体的には、距離センサ４１の検知結果が初期値Ｌａ以下の距離である場合、その距離センサ４１の検知結果は、椅子２の背凭れ部２２（背凭れ面２２ａ）から遊技機１側に存在する物体を対象としたものとなる。
【００６７】
従って、処理部４３が、距離センサ４１の初期検知によって得られた距離センサ４１から背凭れ面２２ａまでの距離を初期値Ｌａに設定し、情報入力部４０が借受用媒体受付信号を受け且つ初期検知後の距離センサ４１の測定結果が所定時間内で初期値Ｌａ以下の距離で一定又は略一定であるときに、情報出力部４２に報知信号を出力させることで、着座位置にない人や物（特に、椅子の背凭れ部の後方に存在する人や物）を判断対象から除外した上で、着座位置にある遊技者Ｐや物（荷物や鞄等）を対象にした適正な判断を行い、情報出力部４２に報知信号を出力させることができる。これにより、確実に誤報知が防止される。
【００６８】
また、距離センサ４１が初期検知を行い、処理部４３が距離センサ４１の初期検知の検知結果を初期検知後の判断基準となる初期値Ｌａとするため、遊技機１に対応して設置される椅子２の状態（位置や姿勢）が個々に異なっていたり、日常的に変化したりしても、椅子２（着座位置）に存在する物体を対象に報知すべきか否かが適正に判断される。また、取り忘れ防止装置４（システムＳ）を遊技場に設置するに当たり、取り忘れ防止装置４の設置位置に関係なく、技術者等が煩雑な初期設定（判断の基準となる距離設定等）を行う必要がない。
【００６９】
特に、本実施形態において、処理部４３は、初期値Ｌａに基づく基準値Ｌｂ（初期値Ｌａ以下の距離）であって、椅子２の座部２１の上方の所定位置までの距離を基準値Ｌｂとして設定し、情報入力部４０が借受用媒体受付信号を受け且つ初期検知後の距離センサ４１の測定結果が所定時間内で基準値Ｌｂ以下の距離で一定又は略一定であるときに、情報出力部４２に報知信号を出力させるため、周囲環境の影響（例えば、タバコのヤニの付着等）によって距離センサ４１の検知感度が低下したり、椅子２の背凭れ部２２の状態（位置、姿勢、汚れ具合等）が変化したりしても、初期値Ｌａと基準値Ｌｂとの差分ΔＬによって、距離センサ４１の検知感度の低下が椅子２の状態の変化等が吸収され、適正な判断乃至報知をすることができる。
【００７０】
また、本実施形態において、椅子２の座部２１は、遊技機１側に位置する第一位置Ｐ１と、第一位置Ｐ１よりも遊技機１から離れる第二位置Ｐ２との間でスライド可能に構成され、基準値Ｌｂは、第一位置Ｐ１にある座部２１に着座するであろう遊技者Ｐの胴体及び第二位置Ｐ２にある座部に着座するであろう遊技者Ｐの胴体との重複領域内の所定位置であって、第一位置Ｐ１にある座部２１の上方の所定位置までの距離に設定されるため、椅子２の座部２１及び背凭れ部２２の位置が初期検知後に都度変わっても、着座位置にある遊技者や物（荷物や鞄等）を対象にした適正な判断を行うことができる。
【００７１】
具体的には、遊技者Ｐが第一位置Ｐ１にある座部２１に着座する場合と、第二位置Ｐ２にある座部２１に着座する場合とでは、遊技者Ｐの胴体の位置が異なる。しかし、基準値Ｌｂが第一位置Ｐ１にある座部２１に着座するである遊技者Ｐの胴体及び第二位置Ｐ２にある座部２１に着座するであろう遊技者Ｐの胴体との重複領域内にある所定位置までの距離にすることで、第一位置Ｐ１にある座部２１に着座する遊技者Ｐ及び第二位置Ｐ２にある座部２１に着座する遊技者Ｐの何れについても把握することができる。従って、椅子２の座部２１及び背凭れ部２２の位置が初期検知後に都度変わっても、着座位置にある遊技者Ｐや物（荷物や鞄等）を対象にした適正な判断を行うことができる。
【００７２】
本実施形態に係る取り忘れ防止装置４は、情報出力部４２に接続された内部報知装置５Ａ．５Ｂを備えているため、該内部報知装置５Ａ，５Ｂにより、報知信号に基づく報知をすることができる。
【００７３】
本実施形態に係るシステムＳは、借受用媒体を入れる借受用媒体入口部３０を有し且つ借受用媒体入口部３０に入れられた借受用媒体に記録された価値度数を上限に遊技媒体を貸し出す遊技媒体貸出装置３であって、遊技機１に隣接して配置される遊技媒体貸出装置３と、上記構成の取り忘れ防止装置４と、取り忘れ防止装置４の指示に基づき、遊技媒体貸出装置３から借受用媒体を取り忘れている旨を遊技者Ｐに向けて報知する少なくとも一つの報知装置５Ａ，５Ｂ，５Ｃ，５Ｄとを含み、取り忘れ防止装置４の情報入力部４０が遊技媒体貸出装置３に接続されるとともに、取り忘れ防止装置４の情報出力部４２が報知装置５Ａ，５Ｂ，５Ｃ，５Ｄに接続されている。
【００７４】
本実施形態に係るシステムＳによれば、上記構成の取り忘れ防止装置４を備えているため、上記構成取り忘れ防止装置４によって得られる上記の作用及び効果を奏する。
【００７５】
また、本実施形態に係るシステムＳは、遊技者Ｐがスタッフを呼ぶために遊技機に対応づけて設置される呼出装置６であって、表示部６１及びスピーカー６２を有する呼出装置６を更に含み、呼出装置６の有する表示部６１及びスピーカー６２が報知装置５Ｃ，５Ｄに兼用されているため、借受用媒体の取り忘れの報知の効果が高くなる。すなわち、呼出装置６の表示部６１及びスピーカー６２の出力は、遊技機１の周囲に対して注意喚起することに優れているため、表示部６１及びスピーカー６２が報知装置５Ｃ，５Ｄに兼用されることで、借受用媒体の取り忘れの報知の効果が高くなる。
【００７６】
なお、本発明は、上記実施形態に限定されるものではなく、本発明の要旨を逸脱しない範囲において、適宜変更を加え得ることは勿論である。
【００７７】
上記実施形態において、取り忘れ防止装置４がシステムＳの一構成とされるとともに手元スイッチ装置７に組み込まれたが、これに限定されない。例えば、取り忘れ防止装置４そのものが独立した装置であってもよい。このように取り忘れ防止装置４が独立した装置で提供されたとしても、取り忘れ防止装置４が情報入力部４０及び情報出力部４２を有しているため、情報入力部４０に別途設置された遊技媒体貸出装置３に電気的に接続されることで、遊技媒体貸出装置３が借受用媒体を受け付けている旨の借受用媒体受付信号を受けることができ、情報出力部４２に報知装置５Ａ，５Ｂ，５Ｃ，５Ｄに接続されることで、報知装置５Ａ，５Ｂ，５Ｃ，５Ｄに借受用媒体を取り忘れている旨の報知信号を出力して遊技者Ｐに報知することができる。
【００７８】
上記実施形態において、取り忘れ防止装置４そのものが内部報知装置５Ａ，５Ｂを備えたが、これに限定されない。例えば、取り忘れ防止装置４は、内部報知装置５Ａ，５Ｂを備えることなく、外部の報知装置５Ｃ，５Ｄに接続される情報出力部４２のみを備えていてもよい。
【００７９】
上記実施形態において、距離センサ４１が赤外線センサで構成されたが、これに限定されない。例えば、距離センサ４１は、超音波センサであってもよい。
【００８０】
上記実施形態において、呼出装置６の有する表示部６１及びスピーカー６２が報知装置５Ｃ，５Ｄに兼用されたが、これに限定されない。例えば、システムＳが遊技演出用の表示部及びスピーカーの少なくとも何れか一方を有する遊技機１を含み、遊技機１の遊技演出用の表示部及びスピーカーの少なくとも何れか一方が報知装置５Ｃ，５Ｄに兼用されていてもよい。また、呼出装置６の有する表示部６１及びスピーカー６２の少なくとも何れか一方とともに、遊技機１が遊技演出用の表示部及びスピーカーの少なくとも何れか一方が、報知装置５Ｃ，５Ｄに兼用されていてもよい。また、取り忘れ防止装置４の情報出力部４２に接続される外部の報知装置５Ｃ，５Ｄは、呼出装置６（表示部６１及びスピーカー６２）や、遊技機１（表示部及びスピーカー）を兼用させたものに限定されない。例えば、外部の報知装置５Ｃ，５Ｄは、呼出装置６や遊技機１から独立した表示装置や音響装置（スピーカー）であってもよい。
【００８１】
上記実施形態において、距離センサ４１が、初期検知において、着座位置として遊技機１に付設される椅子２の背凭れ面２２ａまでの距離を測定し、処理部４３は、初期検知によって得られた距離センサ４１から背凭れ面２２ａまでの距離を初期値Ｌａに設定した上で、初期値Ｌａに基づく基準値Ｌｂであって、着座位置に存在するであろう遊技者Ｐの胴体内に位置する所定位置までの距離を基準値Ｌｂとして設定し、情報入力部４０が借受用媒体受付信号を受け且つ初期検知後の距離センサ４１の測定結果が基準値Ｌｂ以下の距離であるときに、着座位置に物体が存在するとし、その物体までの経時的な測定結果が一定又は略一定であるときに、情報出力部４２に報知信号を出力させるようにしたが、これに限定されない。
【００８２】
例えば、距離センサ４１が、初期検知において、着座位置として遊技機１に付設される椅子２の背凭れ面２２ａまでの距離を測定し、処理部４３は、初期検知によって得られた距離センサ４１から背凭れ面２２ａまでの距離を初期値Ｌａに設定し、情報入力部４０が借受用媒体受付信号を受け且つ初期検知後の距離センサ４１の測定結果が初期値Ｌａ以下の距離であるときに、着座位置に物体が存在すると判断し、その物体までの経時的な測定結果が一定又は略一定であるときに、情報出力部４２に報知信号を出力させるようにしてもよい。
【００８３】
上記実施形態において、距離センサ４１が、初期検知として、椅子２の背凭れ面２２ａまでの距離を測定し、処理部４３が、距離センサ４１の初期検知によって得られた距離センサ４１から背凭れ面２２ａまでの距離を初期値Ｌａに設定したが、これに限定されない。例えば、取り忘れ防止装置４の起動時において、距離センサ４１が初期検知を行うことなく、処理部４３が距離センサ４１から遊技者Ｐの着座位置における最も遠い位置（着座する遊技者Ｐの背中が存在すると想定される位置）までの距離を初期値Ｌａに設定し、情報入力部４０が借受用媒体受付信号を受け且つ距離センサ４１の測定結果が所定時間内で初期値Ｌａ以下の距離で一定又は略一定であるときに、情報出力部４２に報知信号を出力させるようにしてもよい。なお、この場合において、距離センサ４１から着座位置における最も遠い位置（着座する遊技者Ｐの背中が存在すると想定される位置（例えば、椅子２の背凭れ面２２ａ）までの距離は、距離センサ４１やメジャー等によって予め測定した測定結果や、図面等のデータを基に予め算出した算出結果を用いればよい。
【００８４】
このようにしても、誤報知が防止される。具体的には、距離センサ４１の検知結果が初期値Ｌａ以下の距離である場合、その距離センサ４１の検知結果は、着座位置から遊技機1側に存在する物体を対象としたものとなる。
【００８５】
従って、処理部４３が、着座位置における最も遠い位置までの距離を初期値Ｌａに設定し、情報入力部４０が借受用媒体受付信号を受け且つ初期検知後の距離センサ４１の測定結果が所定時間内で初期値Ｌａ以下の距離で一定又は略一定であるときに、情報出力部４２に報知信号を出力させることで、着座位置にない人や物（例えば、椅子２の背凭れ部２２の後方に存在する人や物）を判断対象から除外した上で、着座位置にある遊技者Ｐや物（荷物や鞄等）を対象にした適正な判断を行い、情報出力部４２に報知信号を出力させることができる。これにより、確実に誤報知が防止される。この場合においても、処理部４３は、初期値Ｌａから所定距離（周囲の環境の変化による検知誤差を吸収できる距離）ΔＬを差し引いた基準値Ｌｂを基準に後の判断を行っても勿論よい。
【００８６】
また、処理部４３は、初期値Ｌａ及び基準値Ｌｂを設定することなく、情報入力部４０が借受用媒体受付信号を受け且つ距離センサ４１の測定結果が所定時間内で一定又は略一定であるときに、情報出力部４２に報知信号を出力させるようにしてもよい。但し、周囲環境や、その環境の影響による距離センサ４１の経時的な検知感度の低下、椅子２の状態の変化等を考慮すれば、上記実施形態と同様に、処理部４３は、初期値Ｌａを設定したり、初期値Ｌａに基づく基準値Ｌｂを設定し、これらに基づいて物体の存在を判断することが好ましいことは言うまでもない。
【００８７】
上記実施形態において、椅子２の座部２１が第一位置Ｐ１と第二位置Ｐ２との間でスライド可能に構成されることを前提に、基準値Ｌｂが、第一位置Ｐ１にある座部２１に着座するであろう遊技者Ｐの胴体及び第二位置Ｐ２にある座部２１に着座するであろう遊技者Ｐの胴体との重複領域内の所定位置であって、第一位置Ｐ１にある座部２１の上方の所定位置までの距離に設定されたが、これに限定されない。例えば、椅子２の座部２１が定位置に固定されている場合（スライド不能である場合）、基準値Ｌｂは、定位置にある座部２１に着座するであろう遊技者Ｐの胴体内の所定位置であって、該座部２１の上方の所定位置までの距離に設定されてもよい。
【００８８】
上記実施形態において、手元スイッチ装置７に取り忘れ防止装置４が組み込まれるに伴い、取り忘れ防止装置４が遊技機１の周辺領域における遊技者Ｐの手の届く範囲（高さ）に配置されたが、これに限定されない。例えば、取り忘れ防止装置４が独立した装置とされたり、遊技中の遊技者Ｐが操作を行わない装置に組み込まれたりする場合、取り忘れ防止装置４は、遊技機１の周辺領域のうちの高所領域に設置されてもよい。すなわち、取り忘れ防止装置４は、距離センサ４１が着座位置に向けて感度を有し、距離センサ４１が着座位置にある物体までの距離を経時的に測定できれば、適宜位置に設置してもよい。
【００８９】
上記実施形態において、借受用媒体がカードであったが、これに限定されない。借受用媒体は、価値度数を記憶し且つ価値度数を書き換え可能であれば、例えば、コインのようなものであってもよい。
【００９０】
上記実施形態において、遊技媒体貸出装置３は、借受用媒体を借受用媒体入口部３０から排出（返却）するようにしたが、これに限定されない。すなわち、遊技媒体貸出装置３は、借受用媒体入口部３０を借受用媒体の排出部に兼用されたが、これに限定されない。遊技媒体貸出装置３は、借受用媒体入口部３０と借受用媒体を排出させる排出部とを別個独立に備えていてもよい。
【符号の説明】
【００９１】
１…遊技機、２…椅子、３…遊技媒体貸出装置、４…取り忘れ防止装置（遊技媒体借受用媒体の取り忘れ防止装置）、５Ａ…スピーカー（報知装置（内部報知装置））、６…呼出装置、７…手元スイッチ装置、１０…遊技領域、１１…操作部、２０…脚部、２１…座部、２１ａ…座面、２２…背凭れ部、２２ａ…背凭れ面、３０…借受用媒体入口部、３１…排出スイッチ、４０…情報入力部、４１…距離センサ、４２…情報出力部、４３…処理部、６０…スイッチ、６１（５Ｄ）…表示部、６２（５Ｃ）…スピーカー、６３…スイッチ、７０…操作部（押しボタン）、７１（５Ｂ）…表示部（報知装置（内部報知装置））、Ｇ…遊技島、Ｈ…遊技場、Ｌａ…初期値、Ｌｂ…基準値、Ｐ…遊技者、Ｐ１…第一位置、Ｐ２…第二位置、Ｓ…システム、ΔＬ…所定距離
【図１】
2018126359.tif 000003
【図２】
2018126359.tif 000004
【図３】
2018126359.tif 000005
【図４】
2018126359.tif 000006
【図５】
2018126359.tif 000007
【図６】
2018126359.tif 000008
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置から、借受用媒体入口部に遊技媒体借受用媒体が入れられている旨の借受用媒体受付信号を少なくとも受ける情報入力部と、遊技機の周辺領域内に配置される距離センサであって、遊技機の前方に設定される遊技者の着座位置に向く方向に感度を有する距離センサと、遊技媒体貸出装置から遊技媒体借受用媒体を取り忘れている旨を遊技者に向けて報知するための報知信号を出力する情報出力部と、情報入力部、距離センサ及び情報出力部が接続された処理部とを備え、距離センサは、着座位置にある物体までの距離を経時的に測定し、処理部は、距離センサから着座位置における最も遠い位置までの距離を初期値に設定し、情報入力部が借受用媒体受付信号を受け且つ距離センサの測定結果が所定時間内で初期値以下の距離で一定又は略一定であるときに、情報出力部に報知信号を出力させることを特徴とする遊技媒体借受用媒体の取り忘れ防止装置。
【請求項２】
距離センサは、初期検知として、遊技者の臀部を受ける座面を含む座部及び遊技者の背中を受ける背凭れ面を含む背凭れ部を有する椅子であって、着座位置として遊技機に付設される椅子の背凭れ面までの距離を測定し、処理部は、距離センサの初期検知によって得られた距離センサから背凭れ面までの距離を初期値に設定する請求項１に記載の遊技媒体借受用媒体の取り忘れ防止装置。
【請求項３】
処理部は、初期値に基づく基準値であって、距離センサから椅子の座部の上方の所定位置までの距離を基準値として設定し、情報入力部が借受用媒体受付信号を受け且つ初期検知後の距離センサの測定結果が所定時間内で基準値以下の距離で一定又は略一定であるときに、情報出力部に報知信号を出力させる請求項２に記載の遊技媒体借受用媒体の取り忘れ防止装置。
【請求項４】
椅子の座部は、遊技機側に位置する第一位置と、第一位置よりも遊技機から離れる第二位置との間でスライド可能に構成され、基準値は、第一位置にある座部に着座するであろう遊技者の胴体及び第二位置にある座部に着座するであろう遊技者の胴体との重複領域内の所定位置であって、距離センサから第一位置にある座部の上方の所定位置までの距離に設定される請求項３に記載の遊技媒体借受用媒体の取り忘れ防止装置。
【請求項５】
情報出力部に接続された内部報知装置を備えている請求項１乃至４の何れか１項に記載の遊技媒体借受用媒体の取り忘れ防止装置。
【請求項６】
遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置と、請求項１乃至５の何れか１項に記載の遊技媒体借受用媒体の取り忘れ防止装置と、遊技媒体借受用媒体の取り忘れ防止装置の指示に基づき、遊技媒体貸出装置から遊技媒体借受用媒体を取り忘れている旨を遊技者に向けて報知する少なくとも一つの報知装置とを含み、遊技媒体借受用媒体の取り忘れ防止装置の情報入力部が遊技媒体貸出装置に接続されるとともに、遊技媒体借受用媒体の取り忘れ防止装置の情報出力部が報知装置に接続されていることを特徴とする遊技媒体借受用媒体の取り忘れ防止システム。
【請求項７】
遊技者がスタッフを呼ぶために遊技機に対応づけて設置される呼出装置であって、表示部及びスピーカーの少なくとも何れか一方を有する呼出装置を更に含み、呼出装置の有する表示部及びスピーカーの少なくとも何れか一方が報知装置に兼用されている請求項６に記載の遊技媒体借受用媒体の取り忘れ防止システム。
【請求項８】
遊技演出用の表示部及びスピーカーの少なくとも何れか一方を有する遊技機を更に含み、遊技機の遊技演出用の表示部及びスピーカーの少なくとも何れか一方が報知装置に兼用されている請求項６又は７に記載の遊技媒体借受用媒体の取り忘れ防止システム。
【手続補正２】
【補正対象書類名】明細書
【補正対象項目名】００１４
【補正方法】変更
【補正の内容】
【００１４】
本発明に係る遊技媒体借受用媒体の取り忘れ防止装置は、遊技媒体借受用媒体を入れる借受用媒体入口部を有し且つ借受用媒体入口部に入れられた遊技媒体借受用媒体に記録された価値度数を上限に遊技媒体を貸し出す遊技媒体貸出装置であって、遊技機に隣接して配置される遊技媒体貸出装置から、借受用媒体入口部に遊技媒体借受用媒体が入れられている旨の借受用媒体受付信号を少なくとも受ける情報入力部と、遊技機の周辺領域内に配置される距離センサであって、遊技機の前方に設定される遊技者の着座位置に向く方向に感度を有する距離センサと、遊技媒体貸出装置から遊技媒体借受用媒体を取り忘れている旨を遊技者に向けて報知するための報知信号を出力する情報出力部と、情報入力部、距離センサ及び情報出力部が接続された処理部とを備え、距離センサは、着座位置にある物体までの距離を経時的に測定し、処理部は、距離センサから着座位置における最も遠い位置までの距離を初期値に設定し、情報入力部が借受用媒体受付信号を受け且つ距離センサの測定結果が所定時間内で初期値以下の距離で一定又は略一定であるときに、情報出力部に報知信号を出力させることを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
また、かかる構成によれば、確実に誤報知を防止することができる。具体的には、距離センサの検知結果が初期値以下の距離である場合、その距離センサの検知結果は、着座位置から遊技機側に存在する物体を対象としたものとなる。